(57)【特許請求の範囲】
【請求項１】
複数の図形のうち一部の図形のみを同時に、知覚可能なように表示することができ、前記複数の図形を入れ替えて表示しなければならないスクリーンと；
前記複数の図形を前記スクリーン上で移動させるための移動手段とを具え、
前記移動手段は、前記複数の図形を前記スクリーン上に表示すべく回転移動させる手段によって構成され、
前記複数の図形は仮想的な環内に配置され、前記移動手段は、前記仮想的な環を、前記スクリーンを含む平面内で回転させるように構成され、前記仮想的な環の回転軸は前記スクリーン外にあり、前記仮想的な環の一部は前記スクリーン内に含まれ、これにより、前記スクリーンは、前記複数の図形のうち前記一部の図形のみを同時に、知覚可能なように表示することを特徴とする電子装置。
【請求項２】
請求項１に記載の電子装置において、ユーザーが前記仮想的な環の両方向の回転を実行するために操作する１個のキイを有することを特徴とする電子装置。
【請求項３】
請求項１に記載の電子装置において、前記スクリーンが指標を有し、前記移動手段を用いて前記図形の各々を前記指標に一致させることができることを特徴とする電子装置。
【請求項４】
請求項３に記載の電子装置において、前記指標に一致させた前記図形を活性化及び／または有効化するためのキイを有することを特徴とする電子装置。
【請求項５】
請求項１ないし４のいずれかに記載の電子装置において用いられる、図形を表示する方法において、
前記複数の図形を前記仮想的な環内に配置するステップであって、前記仮想的な環の回転軸は前記スクリーン外にあり、前記仮想的な環の一部は前記スクリーン内に含まれ、これにより、前記スクリーンは、前記複数の図形のうち一部の図形のみを同時に、知覚可能なように表示することができるステップと；
前記スクリーン上に同時に表示する前記図形の特定数を決定するステップと；
ユーザーの要求により、前記仮想的な環を、前記スクリーンを含む平面内で回転させて、前記ユーザーが所望する前記特定数の図形を前記スクリーン上に表示するステップと
を具えていることを特徴とする図形表示方法。
【請求項６】
請求項５に記載の図形表示方法において、追加的に、
前記スクリーン上に位置する固定指標に特定の前記図形を一致させるステップと；
キイを押下げすることによって、前記固定指標に一致させた前記特定の図形を有効化及び／または活性化するステップと
を具えていることを特徴とする図形表示方法。
【発明の詳細な説明】
【０００１】
【発明の属する技術分野】
本発明は、複数の図形を表示しなければならないスクリーンと、それらの図形を動かすための移動手段と、を有して成る電子装置に関する。
【０００２】
本発明はまた、そのような装置内で用いられるところの図形を表示する方法にも関する。
【０００３】
【従来の技術】
そのような装置は既によく知られており、特に携帯電話の分野で広く使用されている。
【０００４】
そのような装置に生じる問題点は、それらの装置が持っているスクリーンは小さいのに対し、項目又はアイコンを持つメニューが豊富になるので、一層大きいスクリーンの必要性が増大していることである。
【０００５】
【発明が解決しようとする課題】
本発明の目的は、冒頭に述べたタイプの電子装置であって、表示しようとするこれらのアイコンを知覚できるようにする手段を設けてある装置を提供することである。
【０００６】
【課題を解決するための手段】
この目的のために、そのような電子装置は、上記移動手段が、可視化しようとする図形を回転させるための手段により構成されることを特徴とする。
【０００７】
本発明の考え方は、種々の異なる図形を１つの環内に置き、それによりスクリーンの常に縮小されて行く表面を最大限に利用しようというものである。これらの図形は位置をずらせて提示することにより、小さいスクリーン上でユーザーが更に見やすくなるようにし、それと同時にこれらの図形を相互に区別して認知できるようにする。
【０００８】
【実施例】
本発明のこれらの態様及びその他の態様は、以下に述べる実施例を参照する非限定的な実例から明らかであり、それらを介して詳らかにされるであろう。
【０００９】
図１は、本発明による電子装置を示す。ここに記す実施例の範囲では、これはセル方式のネットワークに接続できる携帯電話である。それは、その中に種々のエレメントが配置されている筐体10からなる。それらのエレメントには、種々のキイK1, K2, K3, …を持つキイボード12、表示スクリーン20、マイクロフォン22、受話器又はラウドスピーカ24、及びアンテナ26が含まれる。
【００１０】
図２は、種々の可動図形又はアイコンG1, G2, G3, G4, G5, G6, G7, G8, …及び固定されている他の図形GF1,GF2,GF3,…を持つスクリーン20を示し、上記可動図形又はアイコンは、キイK2により構成される動き制御が用いられている間はスクリーンに表示することができる。また、上記固定されている図形のうちで指標INは特別のものであって、指標INに一致している可動図形を、キイK1（図１）を押下することにより活性化することができる。
【００１１】
本発明によれば、種々の異なる可動図形が、虚構又は仮想的なやり方で、２つの円C1, C2の間にある環50の中でその位置を変える。キイK2の右側又は左側の部分を押下することにより、図形は左側なら矢印F1の方向に回転し、右側なら矢印F2の方向に回転する。
【００１２】
図３は本発明の実施例を示す。この図に示す回路は、スクリーン20に表示され得るすべての可動図形に対するデータを含むメモリ50により構成される。これらの図形の各々はこのメモリ中で同じ数の８ビットを占有し、従ってそれらのアドレスの仕方は、直前及び直後のものに対して量的に固定された量だけ異なる。このアドレスの仕方はアドレス符号生成器55により保証されており、該アドレス符号生成器55は、スクリーン20が表示できる図形に対応して５個の図形に関する情報を供給することができる。このアドレスの仕方はキイK2を押下することにより変更できる。もしキイK2の左側が押下されると、上記アドレスの仕方の量が減少し、またもしキイK2の右側が押下されると、上記アドレスの仕方の量が増加する。このことは格上げ回路56及び格下げ回路57によりそれぞれ実行される。これらの格上げ及び格下げ回路56, 57の供給する値は、累積加算器60に累積され、これらの値とアドレス符号生成器55の供給する値とを組み合わせて最終的にメモリ50にアドレスする。メモリ50からのデータはこうして５個の図形の列としてスクリーン20に供給される。スクリーン制御がこれらの図形の列をその出現の順序に従って固定された位置に配列する。
【図面の簡単な説明】
【図１】  本発明による装置を示す図である。
【図２】  本発明により図形がどのように表示されるかを示す図である。
【図３】  本発明の１実施例を示す図である。
【符号の説明】
10  筐体
12  キイボード
20  表示スクリーン
22  マイクロフォン
24  受話器又はラウドスピーカ
26  アンテナ
50  環、又はその内容を記憶するメモリ
55  アドレス符号生成器
56  格上げ回路
57  格下げ回路
60  累積加算器
【図１】
0005199521.tif 000002
【図２】
0005199521.tif 000003
【図３】
0005199521.tif 000004